(57)【要約】【課題】構造且つ操作が簡単で、安定的なスライドができるスライド式ボタンを提供すること。【解決手段】本発明に係るスライド式ボタンは、導通部を有する連接部材が設けられた本体部と、取付部と、係合部を有するスライドキーとを備え、取付部は、本体部に装着されたスライド許容板、及びスライドキーと互いに固定されたスライド板を備え、スライド許容板には、レール部、第一位置決め凹溝及び第二位置決め凹溝が設けられ、スライド板には、スライド部、第一位置決め突起及び第二位置決め突起が設けられ、スライド部は、レール部内に収容され、スライドキー及びスライド板はスライド許容板に沿ってスライドし、係合部を介して、導通部を動かしスライド式ボタンを起動モード或いはオフモードに切り換え、且つ第一位置決め突起を第一位置決め凹溝に、第二位置決め突起を第二位置決め凹溝に係合させ、スライド式ボタンを上記した異なるモードに位置決めする。【選択図】図３
2012204341.tif 000002
【特許請求の範囲】
【請求項１】
連接部材が設けられた本体部と、取付部と、係合部が設けられたスライドキーと、を備え、前記連接部材には導通部が設けられたスライド式ボタンであって、前記取付部は、前記本体部に装着されたスライド許容板と、前記スライドキーと互いに固定されたスライド板と、を備え、前記スライド許容板には、レール部、第一位置決め凹溝及び第二位置決め凹溝が設けられ、前記スライド板には、スライド部、第一位置決め突起及び第二位置決め突起が設けられ、前記スライド板のスライド部は、前記レール部内に収容され、
前記スライドキーをスライドさせて、前記スライド板が連動して前記スライド許容板に沿ってスライドすることによって、前記係合部を介して、前記導通部を動かして前記スライド式ボタンを起動モード或いはオフモードに切り換え、且つ前記第一位置決め突起を前記第一位置決め凹溝に、前記第二位置決め突起を前記第二位置決め凹溝に係合させることによって、前記スライド式ボタンを上記した異なるモードに位置決めすることを特徴とするスライド式ボタン。
【請求項２】
前記本体部は、開口が設けられた側板を有し、前記スライドキーは、基板及び押しボタンを備え、前記係合部及び前記押しボタンは、前記基板の対向する両面にそれぞれ設けられ、前記基板を前記側板に装着すると、前記押しボタンは前記開口から露出することを特徴とする請求項１に記載のスライド式ボタン。
【請求項３】
前記スライド板は、板体と、前記板体の中央に設けられた方形貫通孔と、を備え、前記スライド部は、前記板体の２つの長辺に沿って設けられ、前記第一位置決め突起及び前記第二位置決め突起は、前記方形貫通孔を隔てた両側に位置することを特徴とする請求項２に記載のスライド式ボタン。
【請求項４】
前記スライド許容板は、主体板と、前記主体板の中央に設けられた方形貫通孔と、を備え、前記レール部は、前記主体板の長辺に沿って設けられ、前記第一位置決め凹溝及び前記第二位置決め凹溝は、前記方形貫通孔を隔てた両側に位置することを特徴とする請求項３に記載のスライド式ボタン。
【請求項５】
前記本体部は、底板と、前記底板の上面に装着された回路基板と、を備え、前記連接部材は、前記回路基板の１つの側辺に設けられ、前記スライド板の方形貫通孔と前記スライド許容板の方形貫通孔とは互いに連通し、前記係合部は２つの前記方形貫通孔を貫通して前記導通部と互いに係合することを特徴とする請求項４に記載のスライド式ボタン。
【請求項６】
前記側板における前記開口の両端には、それぞれ１つの固定柱が設けられ、前記スライド許容板の主体板には、前記固定柱に対応する位置決め孔が設けられることを特徴とする請求項５に記載のスライド式ボタン。
【請求項７】
前記底板と前記側板との連接部位には、２つの係止体が設けられ、各係止体の上端には、係合凹所が設けられ、前記スライド許容板は、前記係止体に載せられた後、前記係合凹所に係止されることを特徴とする請求項６に記載のスライド式ボタン。
【発明の詳細な説明】
【技術分野】
【０００１】
本発明は、スライド式ボタンに関し、特に携帯式電子装置に用いられるスライド式ボタンに関するものである。
【背景技術】
【０００２】
現在、一般には、携帯電話等の電子装置のハウジングの周縁に、異なる機能間での切り換え操作を容易に行えるよう、例えば、音量調整ボタン又はカメラのフォーカスを調節するためのキー等の押しボタン（ショートカットボタン）が設けられている。従来の電子装置のショートカットボタンは、殆んどホイール型及びてこ型という２つがある。ホイール型の場合、前記ショートカットボタンを回転することによって、電子装置の機能を調節する。てこ型の場合、前記ショートカットボタンの両端をそれぞれ押圧することによって、電子装置の内部回路にそれぞれ繋ぎ、前記電子装置の機能を切り換える。
【０００３】
しかし、ホイール型のショートカットボタンは、かばん等に入れられる時に、不意に回転されて、電子装置の機能を変更する問題がよく発生する。即ち、ホイール型のショートカットボタンを回転した後、それを所定状態に位置決めすることが難しい。また、てこ型のショートカットボタンは、一般的に弾性部材を介してボタンを元の位置に復帰させるので、長く使用すると弾性部材が壊れるか、又は弾性がなくなる可能性がある。
【発明の概要】
【発明が解決しようとする課題】
【０００４】
そこで、本発明は上記の問題点を考慮してなされたものであり、操作が簡単で、且つ安定的なスライドを行うスライド式ボタンを提供することを目的とする。
【課題を解決するための手段】
【０００５】
前記課題を解決するために、本発明に係るスライド式ボタンは、連接部材が設けられた本体部と、取付部と、係合部が設けられたスライドキーとを備え、前記連接部材には、導通部が設けられている。前記取付部は、前記本体部に装着されたスライド許容板と、前記スライドキーと互いに固定されたスライド板とを備え、前記スライド許容板には、レール部、第一位置決め凹溝及び第二位置決め凹溝が設けられ、前記スライド板には、スライド部、第一位置決め突起及び第二位置決め突起が設けられ、前記スライド板のスライド部は、前記レール部内に収容され、前記スライドキーをスライドさせて、前記スライド板が連動して前記スライド許容板に沿ってスライドすることによって、前記係合部を介して、前記導通部を動かして前記スライド式ボタンを起動モード或いはオフモードに切り換え、且つ前記第一位置決め突起を前記第一位置決め凹溝に、前記第二位置決め突起を前記第二位置決め凹溝に係合することによって、前記スライド式ボタンを上記した異なるモードに位置決めする。
【発明の効果】
【０００６】
従来の技術に比べて、本発明に係るスライド式ボタンのスライドキーは、スライド板に固定されるので、前記スライド板と連動してスライドすることができる。そのスライド過程において、前記スライドキーの連接部材に対する開閉を実現し、且つ第一位置決め突起と第一位置決め凹溝との係合、及び第二位置決め突起と第二位置決め凹溝との係合を切り換えることによって、前記連接部材を異なるモード（起動モード或いはオフモード）に位置決めする。従って、本発明のスライド式ボタンは、構造且つ操作が簡単であり、また安定的なスライドを行うことができるという利点を有する。
【図面の簡単な説明】
【０００７】
【図１】本発明の実施形態に係るスライド式ボタンの分解図である。
【図２】図１に示したスライド式ボタンの取付部の拡大図である。
【図３】図１に示したスライド式ボタンの組立図である。
【図４】図３に示したスライド式ボタンを別の視点から見た図である。
【図５】図４に示したＶ−Ｖ線に沿ったスライド式ボタンの断面図である。
【発明を実施するための形態】
【０００８】
図１に示したように、本発明の実施形態に係るスライド式ボタンは、携帯電話等の携帯式電子装置に用いられる。前記スライド式ボタンは、本体部１０、取付部２０及びスライドキー３０を備える。
【０００９】
前記本体部１０は、携帯式電子装置の機体として、底板１１、側板１２及び回路基板１３を備える。前記底板１１の内面には、２つの円柱体１１０が前記底板１１に垂直に、且つ間隔をあけて突設されている。前記側板１２は、前記底板１１の１つの側辺から垂直に延在し、且つその中央には開口１２１が設けられている。前記側板１２の内面における前記開口１２１の両側には、１つの固定柱１２２がそれぞれ突設されている。前記底板１１の上面には、２つの係止体１１２が間隔をあけて設けられている。２つの前記係止体１１２は、前記開口１２１の両側に位置し、且つ前記側板１２にそれぞれ連接する。各係止体１１２の上端には、係合凹所１１３が設けられる。前記回路基板１３は、前記底板１１の上面に装着され、且つ２つの前記円柱体１１０によって位置決めされる。前記回路基板１３は、前記円柱体１１０に対応して設けられ、且つ前記回路基板１３を貫通する２つの円孔１３２を有する。また、前記回路基板１３の１つの側辺には、１つの切欠き１３１が設けられ、前記切欠き１３１には、前記開口１２１に対応する連接部材１４が設けられる。前記連接部材１４は、導通部１４１を有し、前記導通部１４１は前記連接部材１４の側壁に設けられたスロット（図示せず）に沿って移動可能である。
【００１０】
図２を共に参照すると、前記取付部２０は、スライド許容板２１及びスライド板２３を備える。前記スライド許容板２１は、主体板２１１と、前記主体板２１１の上下に設けられたレール部２１２と、前記スライド許容板２１の中央に設けられた方形貫通孔２１５と、前記方形貫通孔２１５を隔てた両側にそれぞれ位置する第一位置決め凹溝２１３及び第二位置決め凹溝２１４と、前記第一位置決め凹溝２１３及び前記第二位置決め凹溝２１４にそれぞれ隣接して設けられた２つの第一位置決め孔２１６とを備える。２つの前記固定柱１２２は、２つの前記第一位置決め孔２１６にそれぞれ対応して係合する。
【００１１】
前記スライド板２３は、板体２３１と、前記板体２３１の２つの長辺に沿って設けられたスライド部２３２とを備え、前記板体２３１の中央には、細長い方形貫通孔２３５が設けられている。また、前記方形貫通孔２３５を隔てた両側には、第一位置決め突起２３３及び第二位置決め突起２３４がそれぞれ設けられており、さらに、前記第一位置決め突起２３３及び前記第二位置決め突起２３４の隣には、１つの第二位置決め孔２３６がそれぞれ設けられている。２つの前記スライド部２３２は、前記スライド許容板２１のレール部２１２内に、スライド可能に収容される。前記方形貫通孔２３５は、前記方形貫通孔２１５と互いに連通し、且つそのサイズは、前記方形貫通孔２１５より小さい。前記第一位置決め突起２３３を前記第一位置決め凹溝２１３に、又は前記第二位置決め突起２３４を前記第二位置決め凹溝２１４に係合することによって、前記スライド板２３を前記スライド許容板２１の異なる位置に位置決めする。
【００１２】
前記スライドキー３０は、基板３１と、前記基板３１の表面から突出する押しボタン３２と、前記基板３１の押しボタン３２が設置された表面に対向する表面に設けられた半筺体の係合部３３とを備える。前記基板３１は、略楕円形を呈する。前記押しボタン３２及び前記係合部３３は、前記基板３１の対向する両面に設けられる。前記基板３１の、前記係合部３３が設置された面の両端には、それぞれ１つの固定ピン３１０が設けられる。
【００１３】
図３ないし図５に示したように、図１のスライド式ボタンを一体に組み立てる場合、まず、前記スライド板２３を前記スライド許容板２１内に装着する。この際、前記第一位置決め突起２３３を前記第一位置決め凹溝２１３内に嵌め込み、前記第二位置決め突起２３４は、前記スライド許容板２１の主体板２１１の内面に当接させる。次に、前記基板３１の２つの固定ピン３１０を、それぞれ前記スライド板２３の第二位置決め孔２３６内に固定することにより、前記スライドキー３０を前記スライド板２３に装着する。これにより、前記係合部３３は、前記方形貫通孔２３５及び前記方形貫通孔２１５を貫通して、前記スライド許容板２１の外部へ突き出る。次に、スライドキー３０が装着された前記スライド許容板２１を前記係止体１１２に載せた後、前記係合凹所１１３それぞれに係止させると共に、２つの前記固定柱１２２を第一位置決め孔２１６内にそれぞれ係合させて、前記押しボタン３２を、前記開口１２１から露出させる。これにより、前記基板３１は、前記側板１２の内側において前記開口１２１を塞ぐ。最後に、前記切欠き１３１によって前記スライド許容板２１を囲むように、前記回路基板１３を前記底板１１の上方に取り付け、前記導通部１４１を前記係合部３３内に係合させる。この際、前記連接部材１４は、オフ状態である。前記底板１１の２つの円柱体１１０の頂端部は、前記回路基板１３の２つの円孔１３２内に部分的に挿入されるので、前記回路基板１３は、２つの前記円柱体１１０によって、前記底板１１に対して移動不可となり、且つ前記底板１１と離間するように支えられている（図４を参照）。
【００１４】
前記連接部材１４を起動させる場合、前記押しボタン３２を前記開口１２１内でスライドさせると、前記スライド板２３は、連動して前記スライド許容板２１に沿ってスライドし、前記第一位置決め突起２３３は、前記第一位置決め凹溝２１３から脱出し、前記第二位置決め突起２３４は、スライドして前記第二位置決め凹溝２１４内に嵌め込まれて、前記スライド板２３を再び位置決めする。上記の過程において、前記連接部材１４の導通部１４１は、前記係合部３３に誘導されて前記押しボタン３２と同じ方向に向かって移動して、電子装置の内部回路を導通させる。
【００１５】
前記連接部材１４を起動モード又はオフモードに切り換える過程においては、前記第一位置決め突起２３３及び前記第二位置決め突起２３４を、前記第一位置決め凹溝２１３及び前記第二位置決め凹溝２１４から離脱させ、且つ前記主体板２１１に沿ってスライドさせる。これにより、軽微な弾性力及び摩擦力を生じさせ、ユーザーによる前記押しボタン３２のスライドの円滑化を促進させる。
【００１６】
上記の実施形態によれば、本発明のスライド式ボタンは、開口１２１を有する本体部１０と、前記本体部１０に装着されたスライド許容板２１と、前記スライド許容板２１にスライド可能に装着されたスライド板２３と、前記スライド板２３に固定され且つ前記開口１２１から露出する押しボタンが設けられたスライドキー３０とを備える。前記スライド許容板２１には、第一位置決め凹溝２１３及び第二位置決め凹溝２１４が設けられる。これに対応して、前記スライド板２３には、第一位置決め突起２３３及び第二位置決め突起２３４が設けられる。前記スライドキー３０をスライドさせると、前記スライドキー３０は、前記スライド板２３により誘導されて、前記スライド許容板２１に沿って、前記開口１２１内においてスライドする。このようにして、本発明は、前記スライドキー３０の前記連接部材１４に対する開閉を実現し、且つ前記第一位置決め突起２３３と前記第一位置決め凹溝２１３との係合、及び前記第二位置決め突起２３４と前記第二位置決め凹溝２１４との係合を切り換えることによって、前記連接部材１４を異なる位置に位置決めする。従って、本発明のスライド式ボタンは、操作が安定しており、且つ構造が簡単であるという利点を有する。
【００１７】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００１８】
１０              本体部
１１              底板
１２              側板
１３              回路基板
１４              連接部材
２０              取付部
２１              スライド許容板
２３              スライド板
３０              スライドキー
３１              基板
３２              押しボタン
３３              係合部
１１０            円柱体
１１２            係止体
１１３            係合凹所
１２１            開口
１２２            固定柱
１３１            切欠き
１３２            円孔
１４１            導通部
２１１            主体板
２１２            レール部
２１３            第一位置決め凹溝
２１４            第二位置決め凹溝
２１５            方形貫通孔
２１６            第一位置決め孔
２３１            板体
２３２            スライド部
２３３            第一位置決め突起
２３４            第二位置決め突起
２３５            方形貫通孔
２３６            第二位置決め孔
３１０            固定ピン
【図１】
2012204341.tif 000003
【図２】
2012204341.tif 000004
【図３】
2012204341.tif 000005
【図４】
2012204341.tif 000006
【図５】
2012204341.tif 000007